(57)【要約】【課題】生体情報測定装置の使用者の使い勝手を向上させることを目的とする。【解決手段】生体情報測定装置１は、人体に装着されるベースユニット２、ベースユニット２に装着されるトランスミッタ３を備えている。ベースユニット２は、センサユニット４を有している。トランスミッタ３は、センサユニット４に接続される測定部９、測定部９に接続された制御部１０、制御部１０に接続された通信部１１および電池１３を有している。制御部１０は、電池１３電源供給が開始された後、通信部１１によってトランスミッタ３と携帯電話８との認証作業を行い、測定部９による測定値を、通信部１１を介して携帯電話８に送信し、携帯電話８による測定値の取得数が所定値に達した携帯電話８から通信部１１へ送信される測定完了通知を受信すると、電池１３からの電力供給を停止させる。【選択図】図４
2019213837.tif 000002
【特許請求の範囲】
【請求項１】
人体に装着されるベースユニットと、前記ベースユニットに装着されるトランスミッタと、を備え、
前記ベースユニットは、センサユニットを有し、
前記トランスミッタは、
前記センサユニットに接続され生体情報の測定を行う測定部と、
前記測定部に接続された第１の制御部と、
前記第１の制御部に接続され、外部機器と通信を行う第１の通信部と、
前記第１の制御部に接続され、前記第１の制御部および前記第１の通信部に対して電力を供給する電源部と、
を有し、
前記第１の制御部は、
前記電源部による電力供給が開始された後に、前記第１の通信部によって前記トランスミッタと前記外部機器との認証作業を行い、
前記第１の通信部を介して、前記測定部において測定された測定値を、認証された前記外部機器に送信し、前記第１の通信部において、前記測定値の取得数が所定値に達した前記外部機器から送信される測定完了通知を受け取った場合に、前記電源部からの電力供給を停止させる、
生体情報測定装置。
【請求項２】
前記第１の制御部に接続され、各種情報を記憶する第１の記憶部を、さらに備えている、
請求項１に記載の生体情報測定装置。
【請求項３】
前記第１の制御部は、前記測定完了通知を受け取ると、前記トランスミッタが使用済みであることを示す使用済みコードを前記第１の記憶部に記憶させる、
請求項２に記載の生体情報測定装置。
【請求項４】
前記第１の制御部は、前記第１の記憶部における前記使用済みコードの有無を確認し、前記使用済みコードが存在する場合は、前記電源部による電源供給を停止させる、
請求項３に記載の生体情報測定装置。
【請求項５】
前記第１の制御部は、前記測定部において測定された前記測定値を、前記第１の記憶部に記憶させ、前記第１の記憶部に記憶された前記測定値を、前記第１の通信部を介して前記外部機器に送信させる、
請求項２から４のいずれか１項に記載の生体情報測定装置。
【請求項６】
前記第１の制御部は、前記トランスミッタと前記外部機器との認証を第１の距離通信で実行させ、前記外部機器への前記測定値の送信を第２の距離通信で実行させ、
前記第２の距離通信は、前記第１の距離通信よりも通信距離が長い、
請求項１から５のいずれか１つに記載の生体情報測定装置。
【請求項７】
前記トランスミッタは、前記第１の制御部と前記電源部との間に設けられた電源スイッチを有し、
前記ベースユニットは、前記トランスミッタが前記ベースユニットに装着された際に、前記トランスミッタの前記電源スイッチを操作する操作部を有する、
請求項１から６のいずれか１つに記載の生体情報測定装置。
【請求項８】
前記第１の制御部は、前記測定部の測定が実施される測定モードと、前記測定部の測定が中止される測定中止モードとを有する、
請求項１から７のいずれか１つに記載の生体情報測定装置。
【請求項９】
前記第１の制御部は、前記外部機器から測定中止コマンドを受け取った時に、前記測定中止モードを実施する、
請求項８に記載の生体情報測定装置。
【請求項１０】
前記第１の制御部には、所定位置からセンサが外れたことを検出するセンサ外れ検知部が接続されており、
前記第１の制御部は、前記センサ外れ検知部が前記センサが外れたことを検出した時に、前記測定中止モードを実施する、
請求項８または９に記載の生体情報測定装置。
【請求項１１】
前記第１の制御部は、
前記測定モードにおいては、前記外部機器へ第１の間隔で接続要求を送信し、
前記測定中止モードにおいては、前記外部機器へ第２の間隔で接続要求を送信し、
前記第２の間隔は、前記第１の間隔よりも短い、
請求項８から１０のいずれか１つに記載の生体情報測定装置。
【請求項１２】
前記第１の制御部に接続され、各種情報を記憶する第１の記憶部を、さらに備え、
前記第１の制御部は、前記測定中止モードにおいて、前記第１の記憶部に記憶された未送信の前記測定値を、前記外部機器に送信する、
請求項８から１１のいずれか１つに記載の生体情報測定装置。
【請求項１３】
請求項１から１２のいずれか１つに記載の生体情報測定装置と、
前記生体情報測定装置と交信する前記外部機器と、
を備え、
前記外部機器は、
前記トランスミッタの前記第１の通信部と通信する第２の通信部と、
前記第２の通信部に接続された第２の制御部と、
前記第２の制御部に接続され、前記トランスミッタとの認証情報を表示する表示部と、
を有する、
生体情報測定システム。
【請求項１４】
前記第２の制御部は、前記外部機器から前記トランスミッタに前記測定完了通知を送信する前に、前記表示部に使用期限が迫っていることを示す表示を行う、
請求項１３に記載の生体情報測定システム。
【請求項１５】
前記第２の制御部は、前記外部機器から前記トランスミッタに前記測定完了通知を送信した後、前記トランスミッタとは別の新たな前記トランスミッタとの認証を促す旨の表示を、前記表示部に表示させる、
請求項１３または１４に記載の生体情報測定システム。
【請求項１６】
前記外部機器は、前記測定部において測定された測定データを記憶する第２の記憶部を、さらに有しており、
前記第２の制御部は、前記第２の記憶部に記憶された前記測定データを、前記外部機器とは別の外部機器に、前記第２の通信部を介して送信させる、
請求項１３から１５のいずれか１つに記載の生体情報測定システム。
【発明の詳細な説明】
【技術分野】
【０００１】
本願は、例えば、持続血糖測定を行う生体情報測定装置およびこれを備えた生体情報測定システムに関するものである。
【背景技術】
【０００２】
従来の生体情報測定装置の構成は、以下のようになっていた。
すなわち、生体情報測定装置は、人体に装着されるトランスミッタを備え、トランスミッタは、センサユニットと、センサユニットに接続される測定部と、測定部に接続された制御部と、制御部に接続された通信部および電源部と、を有していた。そして、制御部は、測定部における測定値を、近接通信によって外部機器に送信していた（例えば、下記特許文献１）。
【先行技術文献】
【特許文献】
【０００３】
【特許文献１】特表２０１３−５２３２１７号公報
【発明の概要】
【発明が解決しようとする課題】
【０００４】
上記従来例における課題は、生体情報測定装置の使い勝手が悪いことであった。
すなわち、トランスミッタは、人体に装着された状態で、例えば２週間、継続的に生体情報を測定する。その間、トランスミッタを装着している使用者が、データ取得動作を行うために、外部機器をトランスミッタに近づけると、トランスミッタ内の未送信の測定値が外部機器に送信される。そして、２週間経過後、使用者は、使用済みとなったトランスミッタを人体から取り外し、新しいトランスミッタを装着する。
【０００５】
従来の生体情報測定装置においては、トランスミッタの使用期限が経過した時に、使用者がデータ取得動作を忘れてしまう時がある。この場合、使用済みのトランスミッタ内には、前回の取得動作以降に測定された測定値が未送信のままになってしまい、それらの測定値を外部機器で確認することができなくなってしまうおそれがある。この結果、生体情報測定装置の使用者の使い勝手が悪かった。
【０００６】
そこで本発明は、生体情報測定装置の使用者の使い勝手を向上させることを目的とする。
【課題を解決するための手段】
【０００７】
この目的を達成するために、本発明の生体情報測定装置は、人体に装着されるベースユニットと、ベースユニットに装着されるトランスミッタと、を備えている。ベースユニットは、センサユニットを有している。トランスミッタは、センサユニットに接続され生体情報の測定を行う測定部と、測定部に接続された第１の制御部と、第１の制御部に接続され外部機器と通信を行う第１の通信部と、制御部に接続され第１の制御部および第1の通信部に対して電力を供給する電源部と、を有している。第１の制御部は、電源部による電力供給が開始された後に、第１の通信部によってトランスミッタと外部機器との認証作業を行い、第１の通信部を介して、測定部による測定値を、認証された外部機器に送信し、第１の通信部において、測定値の取得数が所定値に達した外部機器から送信される測定完了通知を受け取った場合に、電源部からの電力供給を停止させる。
【０００８】
この構成により、所期の目的を達成する。
【発明の効果】
【０００９】
本発明によれば、以上のように、外部機器による測定値の取得数が所定値に達した後に外部機器から通信部へ送信される測定完了通知をトランスミッタが受信する。
このため、トランスミッタが測定完了通知を受け取る時は、全ての測定値が送信された後になるので、トランスミッタ内に未送信の測定値は残らない。
さらに、測定完了通知を受け取ったトランスミッタは、自らの電源をオフするので、次に装着される新しいトランスミッタの通信を邪魔することもない。
【００１０】
その結果、生体情報測定装置の使用者の使い勝手を向上させることができる。
【図面の簡単な説明】
【００１１】
【図１】本発明の実施の形態１係る生体情報測定装置の使用状態を示す斜視図。
【図２】図１の生体情報測定装置の斜視図。
【図３】図１の生体情報測定装置の正面図。
【図４】図１のトランスミッタの制御ブロック図。
【図５】図１の携帯電話の制御ブロック図。
【図６】図１のトランスミッタと携帯電話の制御フローチャート。
【図７】図１の携帯電話における表示部の表示を示す図。
【図８】図１の携帯電話における表示部の表示を示す図。
【図９】図１のトランスミッタと携帯電話の制御フローチャート。
【図１０】図１の携帯電話における表示部の表示を示す図。
【図１１】図１の携帯電話における表示部の表示を示す図。
【図１２】図１の携帯電話における表示部の表示を示す図。
【図１３】図１の携帯電話における表示部の表示を示す図。
【図１４】図１のトランスミッタと携帯電話の制御フローチャート。
【図１５】図１の携帯電話における表示部の表示を示す図。
【図１６】図１の携帯電話における表示部の表示を示す図。
【図１７】図１の携帯電話における表示部の表示を示す図。
【図１８】図１の携帯電話における表示部の表示を示す図。
【図１９】図１の携帯電話における表示部の表示を示す図。
【図２０】図１のトランスミッタと携帯電話の制御フローチャート。
【発明を実施するための形態】
【００１２】
以下に、本発明の一実施形態を、図面とともに詳細に説明する。
（実施の形態１）
図１および図２は、生体情報測定装置１の構成を示す図である。
生体情報測定装置１は、人体に装着されるベースユニット２と、ベースユニット２に装着されるトランスミッタ３（生体情報を測定する測定器の一例）とを備えている。ベースユニット２は、センサユニット４を有している。トランスミッタ３は、薄板状の形状を有している。
【００１３】
そして、図１に示すように、ベースユニット２は、センサ挿入装置５によって人体６の一部（例えば、上腕部）に装着される。
トランスミッタ３は、人体６に装着されたベースユニット２の上面に装着される。
図３は、人体６にベースユニット２が装着され、このベースユニット２にトランスミッタ３が装着された状態を示している。
【００１４】
トランスミッタ３は、ほぼ全ての側面がベースユニット２に内包されている。つまり、トランスミッタ３は、一旦、ベースユニット２に装着されると、ベースユニット２から容易に取り外せないように構成されている。
ベースユニット２の下方では、センサユニット４のセンサ７が人体６内に留置されている。センサ７は、人体６の生体情報を測定し、その測定値をトランスミッタ３の通信機能を用いて、例えば、携帯電話８（外部機器の一例）に伝送する。
【００１５】
本実施形態の生体情報測定装置１は、生体情報として持続血糖測定を行う装置であって、例えば、２週間継続して１分毎に血糖値を測定する。これにより、例えば、血糖値のコントロールが必要な患者の血糖状態の傾向や寝ている時の血糖状態を把握することができる。
図４は、トランスミッタ３の制御ブロック図を示している。
【００１６】
トランスミッタ３内では、測定部９が、センサユニット４と制御部（第１の制御部）１０とに接続されている。制御部１０には、携帯電話８と通信する通信部（第１の通信部）１１、および時計１２が電気的に接続されている。
さらに、制御部１０には、電池１３（電源部の一例）が電気的に接続されている。そして、制御部１０と電池１３との間には、その通電回路上に、電源スイッチ１４、電源スイッチ１５が設けられている。
【００１７】
電源スイッチ１５には、スイッチ操作回路１６が接続されている。スイッチ操作回路１６は、制御部１０に接続されており、電源スイッチ１４と電源スイッチ１５との間にも接続されている。
電源スイッチ１４は、短絡されることでスイッチオンの状態となる。そして、電源スイッチ１４を短絡させるために、ベースユニット２は、通電性の操作板１７（操作部の一例で、図２参照）を有している。
【００１８】
電源スイッチ１５は、制御部１０に操作されたスイッチ操作回路１６によって操作される。
なお、電源スイッチ１４および電源スイッチ１５の動作については後述する。
制御部１０には、記憶部（第１の記憶部）１８が接続されている。
記憶部１８は、制御部１０の制御ソフトウェア、測定部９の測定値などを記憶する。
【００１９】
また、電池１３は、制御部１０、および制御部１０に接続された各部（測定部９、通信部１１、時計１２等）に電力を供給する。
図５は、携帯電話８の制御ブロック図を示している。
携帯電話８の上面には、表示部１９が設けられている（図４参照）。
表示部１９は、携帯電話８内の制御部２０に電気的に接続されている。
【００２０】
制御部２０には、トランスミッタ３側の通信部１１と通信する通信部（第２の通信部）２１、時計２２、記憶部（第２の記憶部）２３、電池２４が電気的に接続されている。
記憶部２３には、制御部２０の制御ソフトウェア、通信部２１を介して受け取った測定値などが記憶される。また、電池２４は、制御部２０、および制御部２０に接続された各部（表示部１９、通信部２１、時計２２等）に電力を供給する。
【００２１】
以下で、生体情報測定装置１の動作について説明する。
図２に示すように、使用者がベースユニット２にトランスミッタ３を装着すると、この装着動作によって、ベースユニット２側のセンサユニット４は、トランスミッタ３の測定部９（図４参照）に電気的に接続される。また、この装着動作によって、ベースユニット２の操作板１７が、図４の電源スイッチ１４を短絡することで、電源スイッチ１４はオン状態へ移行する。
【００２２】
電源スイッチ１４がオン状態に移行すると、図４に示すように、電池１３からスイッチ操作回路１６に対して電力が供給され、スイッチ操作回路１６が電源スイッチ１５を操作してオン状態へ移行させる。すると、電池１３から制御部１０に電力が供給されるので、トランスミッタ３が起動される（図６のＳ１）。
トランスミッタ３は、携帯電話８との認証作業を実施する。具体的には、携帯電話８がトランスミッタ３から一定の距離に移動されたことを検知して、トランスミッタ３の制御部１０が通信部１１を介して、トランスミッタ３の認証情報を携帯電話８に送信し（図６のＳ２）、携帯電話８とトランスミッタ３と間の認証が行われる（図６のＳ３）。なお、この認証は、一般的に知られた認証であるので、詳細は省略する。
【００２３】
本実施形態の生体情報測定装置１は、生体情報として持続血糖測定を行う装置であって、認証作業が完了すると、制御部１０は、測定モードとなる。
この測定モードにおいては、制御部１０が、測定部９を用いて、例えば、１分毎に血糖値（測定値の一例）を測定し、記憶部１８に測定結果を順次記憶させる。そして、制御部１０は、記憶部１８に記憶された血糖値を、通信部１１を用いて、例えば、５分毎（第１の間隔の一例）に携帯電話８に送信する。このような測定処理および送信処理は、例えば、２週間継続して実施される（図６のＳ４）。なお、制御部１０は、測定処理および送信処理以外の時は、スリープモードに移行して、電力の消費を抑制する。
【００２４】
一方、携帯電話８では、制御部２０が認証モードに移行すると（図６のＫ１）、携帯電話８をトランスミッタ３に近づけるように促す表示を行う。具体的には、制御部２０は、図７に示すように、表示部１９に「センサを近づけてください」と表示する。
この表示を見た使用者が、携帯電話８をトランスミッタ３に近づけると、携帯電話８側の通信部２１では、トランスミッタ３の通信部１１からの認証情報が受信される（図６のＫ２）。
【００２５】
制御部２０は、表示部１９に、トランスミッタ３を検出した旨の表示を行う。具体的には、制御部２０は、図８に示すように、「センサを検出しました“Ｄｅｖｉｃｅ２”」と表示部１９に表示させる。
なお、図８の表示中の“Ｄｅｖｉｃｅ２”とは、トランスミッタ３の機器ＩＤを示しており、使用者がこのトランスミッタ３（Ｄｅｖｉｃｅ２）を使用することを許可する（例えば、図８のＯＫボタンを押下する）と、制御部２０が、トランスミッタ３と携帯電話８との認証を続行する。
【００２６】
そして、認証が完了すると（図６のＫ３）、携帯電話８は、トランスミッタ３から５分毎に送信される測定値（血糖値）を受信し、記憶部２３に測定結果を順次格納していく。測定値の受信は、時計２２を用いて測定期間（例えば、２週間）が経過するまで継続される（図６のＫ４）。
携帯電話８では、制御部２０が、測定期間である２週間が経過する直前になると、表示部１９に、使用期限６時間前の通知、使用期限２時間前の通知、使用期限３０分前の通知を順次、表示させる（図９のＫ１１〜Ｋ１３）。具体的には、図１０の「使用期限残り６時間」、図１１の「使用期限残り２時間」などが表示される。なお、この使用期限とは、測定を開始して継続する測定期間と同等のものを示す。
【００２７】
その後、制御部２０が、測定期間が経過したことを検出すると（図９のＫ１４）、制御部２０は、トランスミッタ３側の記憶部１８内に残っている未送信の測定値を取得する（図９のＫ１５）。この時、制御部２０は、表示部１９に、図１２に示すように、「データ取得中」と表示し、使用者に測定値が取得されていることを通知する。
そして、携帯電話８が、測定期間として予定していた２週間分の測定値を全て取得すると、制御部２０は、測定値の取得数が予定していた数（２週間分の測定値の数）に達したことを認識して、トランスミッタ３に対して、測定完了通知を送信する（図９のＫ１６）。
【００２８】
トランスミッタ３では、制御部１０が測定完了通知を受信すると（図９のＳ１１）、制御部１０は、測定終了処理を開始する（図９のＳ１２）。
具体的には、制御部１０は、使用済みを示すコード（以下、使用済みコードと記載）を記憶部１８に書き込み、スイッチ操作回路１６を用いて、電源スイッチ１５をオフにする。そして、電源スイッチ１５がオフになると、測定終了処理が完了する（図９のＳ１２）。
【００２９】
これ以降は、電池１３から制御部１０に電力が供給されなくなり、トランスミッタ３の通信部１１が携帯電話８と通信不能な状態となる。その結果、このトランスミッタ３は使用済みとなる。
また、再度、操作板１７が接触して電源スイッチ１４を短絡したとしても、制御部１０が記憶部１８の使用済みコードの有無を確認し、使用済みコードが存在する場合は、制御部１０がスイッチ操作回路１６を用いて電源スイッチ１５をオフすることで、使用期限が過ぎたトランスミッタ３の再使用を防止することができる。
【００３０】
その後、制御部２０は、図１３に示すように、表示部１９に、「センサの使用期限が切れました。新しいセンサと交換しますか」と表示し、使用者にトランスミッタ３の交換を促す（図９のＫ１７）。
使用者は、新しいセンサの交換が指示されると、ベースユニット２に使用済みのトランスミッタ３が装着された状態で、ベースユニット２とトランスミッタ３とを一体的に人体６から取り外す。
【００３１】
その後、使用者は、人体６に新しいベースユニット２を装着した後、ベースユニット２に新しいトランスミッタ３を装着する。
すると、再び、トランスミッタ３は、図６のＳ１からＳ４の処理を実行し、携帯電話８は、図６のＫ１からＫ４の処理を実行する。
以上のように、本実施形態の生体情報測定装置１は、携帯電話８による測定値の取得数が所定値に達した後、携帯電話８から通信部１１へ送信される測定完了通知をトランスミッタ３が受信する。
【００３２】
このため、トランスミッタ３が測定完了通知を受け取る時は、携帯電話８に全ての測定値が送信された後であるため、トランスミッタ３内に未送信の測定値は残らない。
さらに、測定完了通知を受け取ったトランスミッタ３は、自らの電源をオフするので、次に人体６に装着される新しいトランスミッタ３と携帯電話８との通信を邪魔することもない。
【００３３】
その結果、使用者の使い勝手を向上させることができる。
さらに、本実施形態の生体情報測定装置１では、制御部１０は、トランスミッタ３と携帯電話８との認証作業を、例えば、数センチでの近距離通信（第１の距離通信）で実行させる（図６のＳ２）。一方、制御部１０は、携帯電話８への測定値の送信作業を、例えば、数メートルでの通常通信（第２の距離通信）で実行させる（図６のＳ４）。そして、第２の距離通信は、第１の距離通信よりも通信距離が長い。つまり、測定値を送る時の通信距離は、認証する時の通信距離よりも長い。
【００３４】
これにより、認証作業においては、携帯電話８をペアとなるトランスミッタ３に近づけて確実な認証作業を行うとともに、ペアリングが成立した後は、携帯電話８をトランスミッタ３に近づけることなく測定値を送受信することができる。すなわち、使用者が携帯電話８を携帯していれば、携帯電話８が、トランスミッタ３から測定値を送受信することができる。
【００３５】
この結果、この点からも、使用者の使い勝手を向上させることができる。
また、本実施形態の生体情報測定装置１では、トランスミッタ３内において、制御部１０に記憶部１８を接続し、記憶部１８に、測定部９において所定時間経過毎に測定された測定値を順次記憶させる。そして、制御部１０は、記憶部１８にされた測定値を、通信部１１を介して携帯電話８に所定時間経過毎に送信させる。
【００３６】
このため、使用者が携帯電話８を携帯していない時でも、測定値を記憶部１８に順次保存しているので、後で、使用者が携帯電話８を携帯した時に、未送信の測定値をまとめて送受信することができる。つまり、使用者が携帯電話８とトランスミッタ３との通信を意識することなく、適切に測定値を送受信することができる。この結果、この点からも、使用者の使い勝手を向上させることができる。
【００３７】
さらにまた、本実施形態の生体情報測定装置１において、トランスミッタ３は、制御部１０と電池１３の間に設けられた電源スイッチ１４を有している。ベースユニット２は、トランスミッタ３が装着された際に、電源スイッチ１４に接触して電源スイッチ１４を操作する操作部として、通電性の操作板１７を有している。
このため、ベースユニット２にトランスミッタ３を装着すると、この動作によって操作板１７が電源スイッチ１４に接触し、電源スイッチ１４を操作してトランスミッタ３の電源をオン状態とする。したがって、使用者は、トランスミッタ３の電源がオンされているか否かを意識する必要はない。この結果、この点からも、使用者の使い勝手を向上させることができる。
【００３８】
さらにまた、本実施形態においては、上述したように、生体情報測定装置１と、生体情報測定装置１と通信可能な携帯電話８とによって、生体情報測定システムを構成する。そして、携帯電話８の制御部２０は、トランスミッタ３との認証情報（例えば、“Ｄｅｖｉｃｅ２”のような機器ＩＤ）を表示部１９に表示させる（図６のＫ３、図８参照）。
このため、使用者は、携帯電話８の表示部１９の表示を見て、携帯電話８とトランスミッタ３とがペアリングされたことを認識することができるため、「今後は、携帯電話８を携帯していれば測定値を受け取ることができる」ことを知ることができる。この結果、この点からも、使用者の使い勝手を向上させることができる。
【００３９】
さらにまた、本実施形態では、携帯電話８において、制御部２０が、生体情報測定装置１側のトランスミッタ３に測定完了通知を送信する前に、表示部１９に使用期限間近を示す表示を行う（図１０、図１１参照）。
このため、使用者は、トランスミッタ３の使用期限が切れる前に、新しいトランスミッタ３を準備できるので、血糖値の測定を途切れさせることなく、継続的な血糖値の測定を実施することができる。
【００４０】
この結果、この点からも、使用者の使い勝手を向上させることができる。
さらにまた、本実施形態では、携帯電話８において、制御部２０は、生体情報測定装置１側のトランスミッタ３に測定完了通知を送信した後に、表示部１９に使用済みのトランスミッタ３とは別の新しいトランスミッタ３との認証を促す旨の表示を行う（図９のＫ１６、Ｋ１７、図１３）。
【００４１】
このため、使用済みのトランスミッタ３との通信を確実に終了させた状態で、次の新しいトランスミッタ３と通信することができる。
さらにまた、本実施形態の生体情報測定システムでは、携帯電話８側の制御部２０が、記憶部２３に記憶された測定値を、通信部２１を介して、クラウドまたは医師のパソコンに送信してもよい。
【００４２】
この場合、医師は、クラウドまたはパソコンに送信された測定値を用いて患者の健康状態を判断することができる。この結果、この点からも、使用者の使い勝手を向上させることができる。
さてここで、トランスミッタ３は、上述したように、測定期間後に新しいトランスミッタ３に交換されるが、測定期間中にトランスミッタ３を交換したい場合がある。例えば、測定期間が残り６時間となった時に外出すると、外出先で測定期間が経過するおそれがある。あるいは、残り６時間になった時に睡眠を開始すると、睡眠中に測定期間が経過するおそれがある。このため、外出前に、予めトランスミッタ３の交換をしたいという要求がある。
【００４３】
そこで、本実施形態のトランスミッタ３は、測定期間中の交換に対応し、使用者の使い勝手を向上させている。以下に詳細に説明する。
トランスミッタ３において、制御部１０は、測定部９の測定が実施される測定モードと、測定部９の測定が中止される測定中止モードを有している。この制御部１０には、携帯電話８から受信したコマンドを検出するために、コマンド検出部２５が搭載されている（図４参照）。そして、制御部１０は、携帯電話８から測定中止コマンドを受け取った時に、測定中止モードを実施する。
【００４４】
携帯電話８には、使用者によって各種入力が実施される入力部２６が、制御部２０に接続されている（図５参照）。入力部２６は、タッチ入力の表示部１９に表示される各種の操作ボタンによって構成される。また、制御部２０には、携帯電話８から送信するコマンドを生成するために、コマンド生成部３２が搭載されている（図５参照）。
ここで、制御部１０が実施する測定中止モードについて、図１４〜図１９を用いて説明する。
【００４５】
図１４は、トランスミッタ３における制御部１０の制御フローチャート、および携帯電話８における制御部２０の制御フローチャートを示している。また、図１５〜図１９は、携帯電話８において、制御部２０に制御される表示部１９の表示を示している。
携帯電話８は、測定期間が終わりに近づくと、例えば、「使用期限残り６時間」の表示（図１０参照）と共に、測定中止ボタン２７を表示する。
【００４６】
使用者が測定中止ボタン２７で測定中止を選択すると（図１４のＫ１）、表示部１９に「測定を中止しますか」（図１５参照）と表示する。使用者が、Ｙｅｓボタン２８を操作すると、表示部１９に「スマホをセンサに近づけてください」（図１６参照）と表示し、使用者に携帯電話８をトランスミッタ３に近づけるよう促す。
使用者が携帯電話８をトランスミッタ３に近接させると、携帯電話８はトランスミッタ３の制御部１０をスリープモードから起動させ、トランスミッタ３の通信部２１が受信状態となる。この時、携帯電話８は、コマンド生成部３２で測定中止を指示する測定中止コマンドを生成し、通信部２１を介して近距離通信（第１の距離通信）でトランスミッタ３の通信部２１に送信する（図１４のＫ２）。
【００４７】
トランスミッタ３では、通信部２１およびコマンド検出部２５を介して、制御部１０が測定中止コマンドを受け取ると、測定中止モードが実施される。
測定中止モードが開始されると、制御部１０は、通常通信（第２の距離通信）を用いて、携帯電話８に所定の間隔で接続要求を送信する。接続要求が送信される間隔は、測定モードの５分毎（第１の間隔）から、より短い間隔（例えば１０秒毎：第２の間隔）に切り替えられる（図１４のＴ１、Ｔ２）。
【００４８】
携帯電話８では、トランスミッタ３からの接続要求を受信すると、接続処理を行い、トランスミッタ３との接続を確立する（図１４のＫ３、Ｋ４）。その後、「センサを検知しました。データを取得します」（図１７参照）と表示させ、トランスミッタ３内に残っている未送信の測定値を取得する（図１４のＫ５）。
携帯電話８は、全ての測定値を取得すると、トランスミッタ３に測定完了通知を送信する（図１４のＫ６）。
【００４９】
その後、「データ取得が完了しました。古いセンサを外してください」（図１８参照）と表示して、測定者にセンサの交換を促す。そして、使用者がＹｅｓボタン２９を操作すると、「新しいセンサを使用しますか」（図１９参照）と表示して、使用者に新しいトランスミッタ３に交換するか否かの確認を行う（図１４のＫ７）。使用者は、Ｙｅｓボタン３０を操作した後、新しいトランスミッタ３に交換する。
【００５０】
一方、トランスミッタ３では、携帯電話８との接続が確立されると、記憶部１８の未送信の測定値を携帯電話８に送信する（図１４のＴ３、Ｔ４）。
その後、携帯電話８の測定完了通知を受信すると、制御部１０は所定の測定終了処理を行う（図１４のＴ５、Ｔ６）。これら測定完了通知の受信および測定終了処理は、測定モードにおける処理（図９のＳ１１、Ｓ１２）と同じである。
【００５１】
すなわち、本実施形態のトランスミッタ３は、測定期間中の交換に対応しており、トランスミッタ３の制御部１０は、測定部９が測定を実施する測定モードと、測定部９が測定を中止する測定中止モードを有している。そして、制御部１０は、携帯電話８から測定中止コマンドを受け取った時に、測定中止モードを実施する。
このため、使用者は、携帯電話８を用いて、都合の良い時にトランスミッタ３の測定を中止することができる。
【００５２】
その結果、生体情報測定装置１の使い勝手を向上させることができる。
なお、上記説明においては、トランスミッタ３は、携帯電話８の測定中止コマンドを受け取ると測定中止モードが実施されるが、トランスミッタ３の制御部１０に測定中止ボタンを接続し、測定中止ボタンが押されると測定中止モードが実施される構成にしてもよい。
【００５３】
さらに、本実施形態のトランスミッタ３において、測定モードでは、制御部１０が携帯電話８に対して、５分毎（第１の間隔）に接続要求を送信する。一方、測定中止モードでは、携帯電話８に対して、１０秒毎（第２の間隔）に接続要求を送信する。すなわち、測定中止モードでは、測定モードよりも短い間隔で接続要求を送信する。
このため、測定中止モードが開始されると、トランスミッタ３は携帯電話８に短時間で接続されるので、未送信の測定値を直ちに携帯電話８に送信できる。この点からも、生体情報測定装置１の使い勝手を向上させることができる。
【００５４】
さらにまた、本実施形態のトランスミッタ３では、測定中止モード中に、制御部１０が記憶部１８に記憶された未送信の測定値を携帯電話８に送信する。
このため、測定中止モード中に全ての測定値が携帯電話８に送信されるので、この点からも、生体情報測定装置１の使い勝手を向上させることができる。
さてここで、生体情報測定装置１の使用中に、例えば、使用者が転んだ時に、生体情報測定装置１が物品にぶつかってしまい、生体情報測定装置１が人体６から剥がれてしまう時がある。この場合、トランスミッタ３の交換が必要になる。
【００５５】
そこで、本実施形態のトランスミッタ３は、生体情報測定装置１が人体６から（所定位置から）剥がれてしまった時に対応し、使用者の使い勝手を向上させている。以下に詳細に説明する。
すなわち、図４に示すように、トランスミッタ３の制御部１０には、人体６からセンサ７が外れたことを検出するセンサ外れ検知部３１が接続されている。
【００５６】
センサ外れ検知部３１は、測定部９の測定値と基準値を比較し、基準値外の測定値を検出した時には、使用者の人体６からセンサ７が外れたと判断する。センサ外れ検知部３１は、センサ７が人体６から外れたことを検出したことを制御部１０に通知する。通知を受けた制御部１０は、測定中止モードを実施する。
この構成により、生体情報測定装置１が意図せず人体６から剥がれてしまった時においても、使用者がトランスミッタ３を交換することができる。
【００５７】
図２０を用いて、具体的に説明する。
センサ外れ検知部３１が、センサ７が人体６から外れたことを検知した時には（図２０のＴ１）、制御部１０は、測定中止モードを実施する。
測定中止モードが開始されると、制御部１０は、通常通信（第２の距離通信）を用いて、携帯電話８に所定の間隔で接続要求を送信する。接続要求が送信される間隔は、測定モードの５分毎（第１の間隔）から、より短い間隔（例えば、１０秒毎：第２の間隔）に切り替えられる（図２０のＴ２）。
【００５８】
携帯電話８では、トランスミッタ３からの接続要求を受信すると、接続処理を行い、トランスミッタ３との接続を確立する（図２０のＫ１、Ｋ２）。
トランスミッタ３では、携帯電話８との接続が確立すると、センサが外れたことを示すセンサ外れエラーを通常通信（第２の距離通信）を用いて、携帯電話８に送信する（図２０のＴ３、Ｔ４）。
【００５９】
携帯電話８では、制御部２０がセンサ外れエラーを受信すると、トランスミッタ３が測定中止モードを実施していると判断する。携帯電話８は、トランスミッタ３から未送信の測定値を取得する。携帯電話８は、全ての測定値を受け取ると、トランスミッタ３に通常通信（第２の距離通信）を用いて、測定完了通知を送信する（図２０のＫ３〜Ｋ５）。
その後、携帯電話８は「新しいセンサを使用しますか」（図１９参照）と表示して、使用者に新しいトランスミッタ３に交換するか否かの確認を行う（図２０のＫ６）。使用者は、Ｙｅｓボタン３０を操作して、新しいトランスミッタ３を装着する。
【００６０】
一方、トランスミッタ３では、携帯電話８との接続が確立されると、記憶部１８の未送信の全ての測定値を携帯電話８に送信する（図２０のＴ５）。
その後、トランスミッタ３は携帯電話８の測定完了通知を受信すると、制御部１０は、所定の測定終了処理を行う（図２０のＴ６、Ｔ７）。これら測定完了通知の受信および測定終了処理は、測定モードにおける処理（図９のＳ１１、Ｓ１２）と同じである。
【００６１】
このように、本実施形態のトランスミッタ３は、生体情報測定装置１が人体６から剥がれてしまった時においても、トランスミッタ３自身が、センサ７が人体６から外れたことを検出して測定中止モードを実施するので、新しいトランスミッタ３を装着できる。
その結果、生体情報測定装置１の使い勝手を向上させることができる。
【産業上の利用可能性】
【００６２】
本発明は、例えば、持続血糖測定を行う生体情報測定装置として活用が期待される。
【符号の説明】
【００６３】
１      生体情報測定装置
２      ベースユニット
３      トランスミッタ
４      センサユニット
５      センサ挿入装置
６      人体
７      センサ
８      携帯電話（外部機器）
９      測定部
１０      制御部（第１の制御部）
１１      通信部（第１の通信部）
１２      時計
１３      電池（電源部の一例）
１４      電源スイッチ
１５      電源スイッチ
１６      スイッチ操作回路
１７      操作板（操作部の一例）
１８      記憶部（第１の記憶部）
１９      表示部
２０      制御部（第２の制御部）
２１      通信部（第２の通信部）
２２      時計
２３      記憶部（第２の記憶部）
２４      電池
２５      コマンド検出部
２６      入力部
２７      測定中止ボタン
２８      Ｙｅｓボタン
２９      Ｙｅｓボタン
３０      Ｙｅｓボタン
３１      センサ外れ検知部
３２      コマンド生成部
【図１】
2019213837.tif 000003
【図２】
2019213837.tif 000004
【図３】
2019213837.tif 000005
【図４】
2019213837.tif 000006
【図５】
2019213837.tif 000007
【図６】
2019213837.tif 000008
【図７】
2019213837.tif 000009
【図８】
2019213837.tif 000010
【図９】
2019213837.tif 000011
【図１０】
2019213837.tif 000012
【図１１】
2019213837.tif 000013
【図１２】
2019213837.tif 000014
【図１３】
2019213837.tif 000015
【図１４】
2019213837.tif 000016
【図１５】
2019213837.tif 000017
【図１６】
2019213837.tif 000018
【図１７】
2019213837.tif 000019
【図１８】
2019213837.tif 000020
【図１９】
2019213837.tif 000021
【図２０】
2019213837.tif 000022